(57)【要約】  薬液シリンジ２００のシリンダ部材２１０を保持するＵ状に湾曲した凹面１２１に、上方から視認されたときに左右方向の中央付近でＸ状に交差する複数の線分１３２Ｂ，１３２Ｙからなる図柄１３１が表記されている。凹面１２１に保持されたシリンダ部材２１０に空気Ａが充填されていると、図柄１３１のＸ状に交差する複数の線分１３２Ｂ，１３２Ｙが視認される。薬液Ｌが充填されていると、図柄１３１が疑似的な縞模様となる。薬液シリンジ２００に薬液が充填されているときと空気が充填されているときで視認される図柄１３１が大幅に相違するので、例えば、被験者に空気が注入される医療ミスを良好に防止できる。
2007141904.tif 000002
【特許請求の範囲】
【請求項１】
薬液シリンジとシリンジ駆動装置とを有し、
前記薬液シリンジは、透明な薬液を収容する透明なシリンダ部材と、このシリンダ部材にスライド自在に挿入されているピストン部材と、を有し、
前記シリンジ駆動装置は、軸心方向が前後方向の状態で上方から装着される前記薬液シリンジのシリンダ部材をＵ状に湾曲した凹面で保持するシリンダ保持機構と、前記薬液シリンジの保持された前記シリンダ部材に対して前記ピストン部材を前後方向に相対移動させるピストン駆動機構と、を有するシリンジ駆動システムであって、
前記シリンジ駆動装置は、上方から視認されたときに左右方向の中央付近でＸ状に交差する複数の線分からなる図柄が前記凹面に表記されているシリンジ駆動システム。
【請求項２】
複数サイズの薬液シリンジとシリンジ駆動装置と少なくとも一種類のシリンダアダプタとを有し、
前記薬液シリンジは、透明な薬液を収容する透明なシリンダ部材と、このシリンダ部材にスライド自在に挿入されているピストン部材と、を有し、
前記シリンダアダプタは、最大以外のサイズの前記薬液シリンジごとに形成されており、軸心方向が前後方向の状態で上方から装着される前記薬液シリンジのシリンダ部材を保持するＵ状に湾曲した凹面が形成されており、
前記シリンジ駆動装置は、上方から装着される最大サイズの前記薬液シリンジのシリンダ部材および前記シリンダアダプタを軸心方向が前後方向の状態でＵ状に湾曲した凹面で保持するシリンダ保持機構と、前記薬液シリンジの保持された前記シリンダ部材に対して前記ピストン部材を前後方向に相対移動させるピストン駆動機構と、を有するシリンジ駆動システムであって、
前記シリンダアダプタは、上方から視認されたときに左右方向の中央付近でＸ状に交差する複数の線分からなる図柄が前記凹面に表記されているシリンジ駆動システム。
【請求項３】
薬液シリンジとシリンジ駆動装置とシリンジカバーとを有し、
前記薬液シリンジは、透明な薬液を収容する透明なシリンダ部材と、このシリンダ部材にスライド自在に挿入されているピストン部材と、を有し、
前記シリンジカバーは、下面となる位置が規定されており、軸心方向が前後方向の状態で後方から挿入される前記薬液シリンジのシリンダ部材を保持する透明な円筒状に形成されており、
前記シリンジ駆動装置は、前記シリンジカバーにより前記薬液シリンジのシリンダ部材を保持するシリンジ保持機構と、前記薬液シリンジの保持された前記シリンダ部材に対して前記ピストン部材を前後方向に相対移動させるピストン駆動機構と、を有するシリンジ駆動システムであって、
前記シリンジカバーは、上方から視認されたときに左右方向の中央付近でＸ状に交差する複数の線分からなる図柄が前記下面に表記されているシリンジ駆動システム。
【請求項４】
薬液シリンジとシリンジ駆動装置とを有し、
前記薬液シリンジは、下面となる位置が規定されていて透明な薬液を収容する透明なシリンダ部材と、このシリンダ部材にスライド自在に挿入されているピストン部材と、を有し、
前記シリンジ駆動装置は、軸心方向が前後方向の状態で上方から装着される前記薬液シリンジのシリンダ部材をＵ状に湾曲した凹面で保持するシリンダ保持機構と、前記薬液シリンジの保持された前記シリンダ部材に対して前記ピストン部材を前後方向に相対移動させるピストン駆動機構と、を有するシリンジ駆動システムであって、
前記薬液シリンジは、前記薬液が収容されていない状態で上方から視認されたときに左右方向の中央付近でＸ状に交差する複数の線分からなる図柄が前記シリンダ部材の下面に表記されているシリンジ駆動システム。
【請求項５】
前記図柄は、上方から視認されたときに左右方向の外縁近傍で複数の前記線分がＶ状に交差して全体で網目模様を形成している請求項１ないし４の何れか一項に記載のシリンジ駆動システム。
【請求項６】
前記図柄は、平坦に展開された状態で正弦波状となる複数の前記線分からなり、前記線分の左右方向の外縁近傍のＶ状の交差がＸ状の交差の内側部分からなる請求項５に記載のシリンジ駆動システム。
【請求項７】
前記図柄の線分は、目視による特性が相違する複数種類からなる請求項１ないし６の何れか一項に記載のシリンジ駆動システム。
【請求項８】
前記図柄の線分は、発色が相違する複数種類からなる請求項７に記載のシリンジ駆動システム。
【請求項９】
前記図柄の線分は、補色の関係にある二種類からなる請求項８に記載のシリンジ駆動システム。
【請求項１０】
前記図柄の線分は、明色と暗色との二種類からなる請求項８または９に記載のシリンジ駆動システム。
【請求項１１】
前記図柄の線分は、暖色と寒色との二種類からなる請求項８ないし１０の何れか一項に記載のシリンジ駆動システム。
【請求項１２】
前記図柄の線分は、膨張色と収縮色との二種類からなる請求項８ないし１１の何れか一項に記載のシリンジ駆動システム。
【請求項１３】
前記図柄の線分は、前進色と後退色との二種類からなる請求項８ないし１２の何れか一項に記載のシリンジ駆動システム。
【請求項１４】
前記図柄の線分は、線幅が相違する複数種類からなる請求項１ないし１３の何れか一項に記載のシリンジ駆動システム。
【請求項１５】
前記図柄は、黄色を主要成分とした発色の幅狭の線分と、青色を主要成分とした発色の幅広の線分と、からなる請求項１ないし１４の何れか一項に記載のシリンジ駆動システム。
【請求項１６】
前記図柄は、所定の温度で所定の発色となる塗料で形成されている請求項１ないし１５の何れか一項に記載のシリンジ駆動システム。
【請求項１７】
前記図柄が表記されている粘着シールを有する請求項１ないし１６の何れか一項に記載のシリンジ駆動システム。
【請求項１８】
前記図柄が表記されている粘着シールを有し、この粘着シールにＲＦＩＤ(Radio Frequency Identification)チップが搭載されている請求項２ないし４の何れか一項に記載のシリンジ駆動システム。
【請求項１９】
透明な薬液を収容する透明なシリンダ部材にピストン部材がスライド自在に挿入されている構造の薬液シリンジを駆動するシリンジ駆動装置であって、
軸心方向が前後方向の状態で上方から装着される前記薬液シリンジのシリンダ部材をＵ状に湾曲した凹面で保持するシリンダ保持機構と、前記薬液シリンジの保持された前記シリンダ部材に対して前記ピストン部材を前後方向に相対移動させるピストン駆動機構と、を有し、
上方から視認されたときに左右方向の中央付近でＸ状に交差する複数の線分からなる図柄が前記凹面に表記されているシリンジ駆動装置。
【請求項２０】
透明な薬液を収容する透明なシリンダ部材にピストン部材がスライド自在に挿入されている構造の薬液シリンジをシリンジ駆動装置に適合させるためのシリンダアダプタであって、
軸心方向が前後方向の状態で上方から装着される前記薬液シリンジのシリンダ部材を保持するＵ状に湾曲した凹面が形成されており、
上方から視認されたときに左右方向の中央付近でＸ状に交差する複数の線分からなる図柄が前記凹面に表記されているシリンダアダプタ。
【請求項２１】
透明な薬液を収容する透明なシリンダ部材にピストン部材がスライド自在に挿入されている構造の薬液シリンジをシリンジ駆動装置に保持させるためのシリンジカバーであって、
下面となる位置が規定されており、
軸心方向が前後方向の状態で後方から挿入される前記薬液シリンジのシリンダ部材を保持する透明な円筒状に形成されており、
上方から視認されたときに左右方向の中央付近でＸ状に交差する複数の線分からなる図柄が前記下面に表記されているシリンジカバー。
【請求項２２】
透明な薬液を収容する透明なシリンダ部材にピストン部材がスライド自在に挿入されている構造でシリンジ駆動装置により駆動される薬液シリンジであって、
軸心方向を前後方向とした状態の前記シリンダ部材に下面となる位置が規定されており、
前記薬液が収容されていない状態で上方から視認されたときに左右方向の中央付近でＸ状に交差する複数の線分からなる図柄が前記シリンダ部材の下面に表記されている薬液シリンジ。
【請求項２３】
透明な薬液を収容する透明な円筒形の薬液容器であって、
視認される前面が規定されており、
前記薬液が収容されていない状態で視認されたときに左右方向の中央付近でＸ状に交差する複数の線分からなる図柄が後面に表記されている薬液容器。
【請求項２４】
透明な薬液を収容する透明な円筒形の薬液容器を保持する容器支持装置であって、
軸心方向が上下方向となる状態で前記薬液容器を保持するＵ状に湾曲した凹面が前面として形成されており、
前方から視認されたときに左右方向の中央付近でＸ状に交差する複数の線分からなる図柄が前記凹面に表記されている容器支持装置。
【発明の詳細な説明】
【技術分野】
【０００１】
本発明は、薬液を収容している薬液シリンジをシリンジ駆動装置で駆動するシリンジ駆動システムに関し、特に、透明な薬液が透明な薬液シリンジに収容されるシリンジ駆動システムに関する。
【背景技術】
【０００２】
現在、被験者の透視画像を撮像する透視撮像装置としては、ＣＴ(Computed Tomography)スキャナ、ＭＲＩ(Magnetic Resonance Imaging)装置、ＰＥＴ(Positron Emission Tomography)装置、ＳＰＥＣＴ(Single Photon Emission Computed Tomography)装置、超音波診断装置、アンギオ装置、ＭＲＡ(MR Angio)装置、等がある。【０００３】
上述のような装置を使用するとき、被験者に造影剤や生理食塩水などの薬液を注入することがあり、この注入を自動的に実行するシリンジ駆動装置も実用化されている。上述のようなシリンジ駆動装置は注入実行ヘッドを有し、この注入実行ヘッドに薬液シリンジが着脱自在に装着される。【０００４】
薬液シリンジは、薬液が充填される円筒状のシリンダ部材を有し、このシリンダ部材に円柱状のピストン部材がスライド自在に挿入されている。一般的にシリンダ部材の後端外周には円環状のシリンダフランジが形成されており、ピストン部材の後端外周には円環状のピストンフランジが形成されている。【０００５】
シリンジ駆動装置を使用する場合、薬液が充填されている薬液シリンジのシリンダ部材を延長チューブで被験者に連結し、その薬液シリンジをシリンジ駆動装置の注入実行ヘッドに装着する。【０００６】
一般的なシリンジ駆動装置では、薬液シリンジのシリンダ部材およびシリンダフランジに対応した形状の凹部が注入実行ヘッドの上面に形成されているので、この凹部にシリンダ部材およびシリンダフランジを装填すれば薬液シリンジが保持される。【０００７】
さらに、シリンジ駆動装置はピストン駆動機構によりピストンフランジをシリンダ部材とは別個に保持し、そのピストン駆動機構でピストン部材をスライドさせる。これで薬液シリンジから被験者に薬液を注入することができ、必要により薬液シリンジに薬液タンクから薬液を吸入することもできる。【０００８】
ただし、上述のようなシリンジ駆動装置は、一般的に各種形状の複数種類の薬液シリンジを装着するため、注入実行ヘッドの凹部は最大サイズの薬液シリンジのシリンダ部材に対応しており、最大以外のサイズの薬液シリンジは各々に専用のシリンダアダプタがシリンダ部材に装着されて注入実行ヘッドの凹部に装填される。【０００９】
このようなシリンダアダプタも、一般的に注入実行ヘッドと同様に装着されるシリンダ部材とシリンダフランジとに対応した凹部が上面に形成されており、その凹部で薬液シリンジのシリンダ部材とシリンダフランジとが保持される。また、シリンダアダプタの下面は最大サイズの薬液シリンジのシリンダ部材とシリンダフランジと同様な外形に形成されており、注入実行ヘッドの凹部に装填される。【００１０】
なお、上述のようなシリンジ駆動装置は、本出願人などにより過去に発明されて出願されている(例えば、特許文献１，２参照)。さらに、本出願人は、薬液容器に連結したシリンダ部材からピストン部材を後退させることで、薬液シリンジに薬液を注入させるシリンジ駆動装置も提案している(例えば、特許文献３参照)。
【特許文献１】特開２００３−２２０１３６号
【特許文献２】特開２００３−２９０３４７号
【特許文献３】特開２００４−３１３５７９号
【発明の開示】
【発明が解決しようとする課題】
【００１１】
一般的な薬液シリンジは、薬液の充填を確認しやすいようにシリンダ部材が透明なガラスや樹脂で形成されている。しかし、このようなシリンダ部材に充填される生理食塩水や造影剤などの薬液も無色透明なことがある。【００１２】
このような場合、シリンダ部材を介して視認される風景の屈折加減などで薬液の充填が確認されるが、不注意から薬液が充填されていない薬液シリンジが充填されていると判断されることがある。【００１３】
この場合、空気が充填されている薬液シリンジがシリンジ駆動装置に装填されて被験者の血管に連結されることになり、被験者の血管に空気が注入される医療事故の原因となる。【００１４】
本発明は上述のような課題に鑑みてなされたものであり、薬液シリンジに薬液が充填されていることを簡単かつ確実に確認できる構造のシリンジ駆動システムを提供することを目的とする。
【課題を解決するための手段】
【００１５】
本発明の第一のシリンジ駆動システムでは、薬液シリンジとシリンジ駆動装置とを有し、薬液シリンジは、透明な薬液を収容する透明なシリンダ部材と、このシリンダ部材にスライド自在に挿入されているピストン部材と、を有し、シリンジ駆動装置は、軸心方向が前後方向の状態で上方から装着される薬液シリンジのシリンダ部材をＵ状に湾曲した凹面で保持するシリンダ保持機構と、薬液シリンジの保持されたシリンダ部材に対してピストン部材を前後方向に相対移動させるピストン駆動機構と、を有するシリンジ駆動システムであって、シリンジ駆動装置は、上方から視認されたときに左右方向の中央付近でＸ状に交差する複数の線分からなる図柄が凹面に表記されている。【００１６】
従って、本発明のシリンジ駆動システムでは、シリンジ駆動装置のシリンジ保持機構の凹面に、薬液ではなく空気が充填されている薬液シリンジが装填されると、その薬液シリンジにより図柄が光学的に屈折されないので、図柄のＸ状に交差する複数の線分が視認される。一方、シリンジ駆動装置のシリンジ保持機構の凹面に、薬液が充填されている薬液シリンジが装填されると、その薬液シリンジにより図柄が光学的に屈折される。その場合、薬液が充填されている薬液シリンジはシリンドリカルレンズとして機能し、図柄の左右方向での中央部分が左右方向に拡開された状態で視認される。その場合、複数の線分のＸ状の交差の角度が前後方向に大幅に低減されたように視認されるので、例えば、複数の線分が縞模様状の図柄として視認される。【００１７】
本発明の第二のシリンジ駆動システムは、複数サイズの薬液シリンジとシリンジ駆動装置と少なくとも一種類のシリンダアダプタとを有し、薬液シリンジは、透明な薬液を収容する透明なシリンダ部材と、このシリンダ部材にスライド自在に挿入されているピストン部材と、を有し、シリンダアダプタは、最大以外のサイズの薬液シリンジごとに形成されており、軸心方向が前後方向の状態で上方から装着される薬液シリンジのシリンダ部材を保持するＵ状に湾曲した凹面が形成されており、シリンジ駆動装置は、上方から装着される最大サイズの薬液シリンジのシリンダ部材およびシリンダアダプタを軸心方向が前後方向の状態でＵ状に湾曲した凹面で保持するシリンダ保持機構と、薬液シリンジの保持されたシリンダ部材に対してピストン部材を前後方向に相対移動させるピストン駆動機構と、を有するシリンジ駆動システムであって、シリンダアダプタは、上方から視認されたときに左右方向の中央付近でＸ状に交差する複数の線分からなる図柄が凹面に表記されている。【００１８】
従って、本発明のシリンジ駆動システムでは、シリンダアダプタの凹面に、薬液ではなく空気が充填されている薬液シリンジが装填されると、その薬液シリンジにより図柄が光学的に屈折されないので、図柄のＸ状に交差する複数の線分が視認される。一方、シリンダアダプタの凹面に、薬液が充填されている薬液シリンジが装填されると、その薬液シリンジにより図柄が光学的に屈折される。その場合、薬液が充填されている薬液シリンジはシリンドリカルレンズとして機能し、図柄の左右方向での中央部分が左右方向に拡開された状態で視認される。その場合、複数の線分のＸ状の交差の角度が前後方向に大幅に低減されたように視認されるので、例えば、複数の線分が縞模様状の図柄として視認される。【００１９】
本発明の第三のシリンジ駆動システムは、薬液シリンジとシリンジ駆動装置とシリンジカバーとを有し、薬液シリンジは、透明な薬液を収容する透明なシリンダ部材と、このシリンダ部材にスライド自在に挿入されているピストン部材と、を有し、シリンジカバーは、下面となる位置が規定されており、軸心方向が前後方向の状態で後方から挿入される薬液シリンジのシリンダ部材を保持する透明な円筒状に形成されており、シリンジ駆動装置は、シリンジカバーにより薬液シリンジのシリンダ部材を保持するシリンジ保持機構と、薬液シリンジの保持されたシリンダ部材に対してピストン部材を前後方向に相対移動させるピストン駆動機構と、を有するシリンジ駆動システムであって、シリンジカバーは、上方から視認されたときに左右方向の中央付近でＸ状に交差する複数の線分からなる図柄が下面に表記されている。【００２０】
従って、本発明のシリンジ駆動システムでは、シリンジカバーの内部に、薬液ではなく空気が充填されている薬液シリンジが装填されると、その薬液シリンジにより図柄が光学的に屈折されないので、図柄のＸ状に交差する複数の線分が視認される。一方、シリンジカバーの内部に、薬液が充填されている薬液シリンジが装填されると、その薬液シリンジにより図柄が光学的に屈折される。その場合、薬液が充填されている薬液シリンジはシリンドリカルレンズとして機能し、図柄の左右方向での中央部分が左右方向に拡開された状態で視認される。その場合、複数の線分のＸ状の交差の角度が前後方向に大幅に低減されたように視認されるので、例えば、複数の線分が縞模様状の図柄として視認される。【００２１】
本発明の第四のシリンジ駆動システムは、薬液シリンジとシリンジ駆動装置とを有し、薬液シリンジは、下面となる位置が規定されていて透明な薬液を収容する透明なシリンダ部材と、このシリンダ部材にスライド自在に挿入されているピストン部材と、を有し、シリンジ駆動装置は、軸心方向が前後方向の状態で上方から装着される薬液シリンジのシリンダ部材をＵ状に湾曲した凹面で保持するシリンダ保持機構と、薬液シリンジの保持されたシリンダ部材に対してピストン部材を前後方向に相対移動させるピストン駆動機構と、を有するシリンジ駆動システムであって、薬液シリンジは、薬液が収容されていない状態で上方から視認されたときに左右方向の中央付近でＸ状に交差する複数の線分からなる図柄がシリンダ部材の下面に表記されている。【００２２】
従って、本発明のシリンジ駆動システムでは、薬液シリンジに薬液ではなく空気が充填されていると、その薬液シリンジにより図柄が光学的に屈折されないので、図柄のＸ状に交差する複数の線分が視認される。一方、薬液シリンジに薬液が充填されていると、その薬液シリンジにより図柄が光学的に屈折される。その場合、薬液が充填されている薬液シリンジはシリンドリカルレンズとして機能し、図柄の左右方向での中央部分が左右方向に拡開された状態で視認される。その場合、複数の線分のＸ状の交差の角度が前後方向に大幅に低減されたように視認されるので、例えば、複数の線分が縞模様状の図柄として視認される。【００２３】
本発明のシリンジ駆動装置は、透明な薬液を収容する透明なシリンダ部材にピストン部材がスライド自在に挿入されている構造の薬液シリンジを駆動するシリンジ駆動装置であって、軸心方向が前後方向の状態で上方から装着される薬液シリンジのシリンダ部材をＵ状に湾曲した凹面で保持するシリンダ保持機構と、薬液シリンジの保持されたシリンダ部材に対してピストン部材を前後方向に相対移動させるピストン駆動機構と、を有し、上方から視認されたときに左右方向の中央付近でＸ状に交差する複数の線分からなる図柄が凹面に表記されている。【００２４】
従って、本発明のシリンジ駆動装置では、シリンジ保持機構の凹面に薬液ではなく空気が充填されている薬液シリンジが装填されると、その薬液シリンジにより図柄が光学的に屈折されないので、図柄のＸ状に交差する複数の線分が視認される。一方、シリンジ保持機構の凹面に薬液が充填されている薬液シリンジが装填されると、その薬液シリンジにより図柄が光学的に屈折される。その場合、薬液が充填されている薬液シリンジはシリンドリカルレンズとして機能し、図柄の左右方向での中央部分が左右方向に拡開された状態で視認される。その場合、複数の線分のＸ状の交差の角度が前後方向に大幅に低減されたように視認されるので、例えば、複数の線分が縞模様状の図柄として視認される。【００２５】
本発明のシリンダアダプタは、透明な薬液を収容する透明なシリンダ部材にピストン部材がスライド自在に挿入されている構造の薬液シリンジをシリンジ駆動装置に適合させるためのシリンダアダプタであって、軸心方向が前後方向の状態で上方から装着される薬液シリンジのシリンダ部材を保持するＵ状に湾曲した凹面が形成されており、上方から視認されたときに左右方向の中央付近でＸ状に交差する複数の線分からなる図柄が凹面に表記されている。【００２６】
従って、本発明のシリンダアダプタでは、凹面に薬液ではなく空気が充填されている薬液シリンジが装填されると、その薬液シリンジにより図柄が光学的に屈折されないので、図柄のＸ状に交差する複数の線分が視認される。一方、凹面に薬液が充填されている薬液シリンジが装填されると、その薬液シリンジにより図柄が光学的に屈折される。その場合、薬液が充填されている薬液シリンジはシリンドリカルレンズとして機能し、図柄の左右方向での中央部分が左右方向に拡開された状態で視認される。その場合、複数の線分のＸ状の交差の角度が前後方向に大幅に低減されたように視認されるので、例えば、複数の線分が縞模様状の図柄として視認される。【００２７】
本発明のシリンジカバーは、透明な薬液を収容する透明なシリンダ部材にピストン部材がスライド自在に挿入されている構造の薬液シリンジをシリンジ駆動装置に保持させるためのシリンジカバーであって、下面となる位置が規定されており、軸心方向が前後方向の状態で後方から挿入される薬液シリンジのシリンダ部材を保持する透明な円筒状に形成されており、上方から視認されたときに左右方向の中央付近でＸ状に交差する複数の線分からなる図柄が下面に表記されている。【００２８】
従って、本発明のシリンジカバーでは、内部に薬液ではなく空気が充填されている薬液シリンジが装填されると、その薬液シリンジにより図柄が光学的に屈折されないので、図柄のＸ状に交差する複数の線分が視認される。一方、内部に薬液が充填されている薬液シリンジが装填されると、その薬液シリンジにより図柄が光学的に屈折される。その場合、薬液が充填されている薬液シリンジはシリンドリカルレンズとして機能し、図柄の左右方向での中央部分が左右方向に拡開された状態で視認される。その場合、複数の線分のＸ状の交差の角度が前後方向に大幅に低減されたように視認されるので、例えば、複数の線分が縞模様状の図柄として視認される。【００２９】
本発明の薬液シリンジは、透明な薬液を収容する透明なシリンダ部材にピストン部材がスライド自在に挿入されている構造でシリンジ駆動装置により駆動される薬液シリンジであって、軸心方向を前後方向とした状態のシリンダ部材に下面となる位置が規定されており、薬液が収容されていない状態で上方から視認されたときに左右方向の中央付近でＸ状に交差する複数の線分からなる図柄がシリンダ部材の下面に表記されている。【００３０】
従って、本発明の薬液シリンジでは、シリンダ部材に薬液ではなく空気が充填されていると、そのシリンダ部材により図柄が光学的に屈折されないので、図柄のＸ状に交差する複数の線分が視認される。一方、シリンダ部材に薬液が充填されていると、そのシリンダ部材により図柄が光学的に屈折される。その場合、薬液が充填されているシリンダ部材はシリンドリカルレンズとして機能し、図柄の左右方向での中央部分が左右方向に拡開された状態で視認される。その場合、複数の線分のＸ状の交差の角度が前後方向に大幅に低減されたように視認されるので、例えば、複数の線分が縞模様状の図柄として視認される。【００３１】
本発明の薬液容器は、透明な薬液を収容する透明な円筒形の薬液容器であって、視認される前面が規定されており、薬液が収容されていない状態で視認されたときに左右方向の中央付近でＸ状に交差する複数の線分からなる図柄が後面に表記されている。【００３２】
従って、本発明の薬液容器では、薬液ではなく空気が充填されていると、図柄が光学的に屈折されないので、図柄のＸ状に交差する複数の線分が視認される。一方、薬液が充填されていると、図柄が光学的に屈折される。その場合、薬液が充填されている薬液容器はシリンドリカルレンズとして機能し、図柄の左右方向での中央部分が左右方向に拡開された状態で視認される。その場合、複数の線分のＸ状の交差の角度が薬液容器の直径方向に大幅に低減されたように視認されるので、例えば、複数の線分が縞模様状の図柄として視認される。【００３３】
本発明の容器支持装置は、透明な薬液を収容する透明な円筒形の薬液容器を保持する容器支持装置であって、軸心方向が上下方向となる状態で薬液容器を保持するＵ状に湾曲した凹面が前面として形成されており、前方から視認されたときに左右方向の中央付近でＸ状に交差する複数の線分からなる図柄が凹面に表記されている。【００３４】
従って、本発明の容器支持装置では、凹面に薬液ではなく空気が充填されている薬液容器が配置されると、その薬液容器により図柄が光学的に屈折されないので、図柄のＸ状に交差する複数の線分が視認される。一方、凹面に薬液が充填されている薬液容器が配置されると、その薬液容器により図柄が光学的に屈折される。その場合、薬液が充填されている薬液容器はシリンドリカルレンズとして機能し、図柄の左右方向での中央部分が左右方向に拡開された状態で視認される。その場合、複数の線分のＸ状の交差の角度が上下方向に大幅に低減されたように視認されるので、例えば、複数の線分が縞模様状の図柄として視認される。【００３５】
なお、本発明では前後左右上下の方向を規定しているが、これは本発明の構成要素の相対関係を簡単に説明するために便宜的に規定したものであり、本発明を実施する場合の製造時や使用時の方向を限定するものではない。
【発明の効果】
【００３６】
本発明では、薬液シリンジや薬液容器に薬液ではなく空気が充填されていると、複数の線分がＸ状に交差する図柄が視認され、薬液シリンジに薬液が充填されていると、複数の線分が縞模様状の図柄として視認されることにより、薬液シリンジや薬液容器に薬液が充填されているときと空気が充填されているときで視認される図柄が大幅に相違するので、例えば、空気が充填されている薬液シリンジがシリンジ駆動装置で駆動されて被験者に空気が注入される医療ミスを良好に防止することができる。
【図面の簡単な説明】
【００３７】
上述した目的、および、その他の目的、特徴および利点は、以下に述べる好適な実施の形態、および、それに付随する以下の図面によって、さらに明らかになる。
【図１】本発明の実施の形態のシリンジ駆動装置である薬液注入装置に薬液シリンジが装着された状態を示す平面図である。
【図２】薬液注入装置に薬液シリンジが装着される状態を示す分解斜視図である。
【図３】薬液注入装置の外観を示す斜視図である。
【図４】シリンジ駆動システムである透視撮像システムの外観を示す斜視図である。
【図５】薬液シリンジのシリンダフランジとシリンダ保持機構との関係を示す正面図である。
【図６】薬液シリンジのシリンダフランジとシリンダ保持機構の弾発アームとの関係を示す背面図である。
【図７】粘着シールを示す平面図である。
【図８】(ａ)は湾曲された粘着シールを示す斜視図、(ｂ)は粘着シールが当接された薬液シリンジを示す斜視図である。
【図９】一の変形例のシリンジ駆動システムを示す分解斜視図の要部を示す分解斜視図である。
【図１０】他の変形例のシリンジ駆動システムを示す分解斜視図の要部を示す分解斜視図である。
【図１１】他の変形例の薬液シリンジを示す斜視図である。
【発明を実施するための最良の形態】
【００３８】
本発明の実施の一形態を図面を参照して以下に説明する。なお、本実施の形態では、図示するように、前後左右上下の方向を規定する。ただし、これは本実施の形態の構成要素の相対関係を簡単に説明するために便宜的に規定したものであり、本発明を実施する場合の製造時や使用時の方向を限定するものではない。【００３９】
本実施の形態のシリンジ駆動システムである透視撮像システム１０００は、図１ないし図４に示すように、薬液シリンジ２００と薬液注入装置１００とを有する。薬液シリンジ２００は、透明な薬液を収容する透明なシリンダ部材２１０と、このシリンダ部材２１０にスライド自在に挿入されているピストン部材２２０と、を有する。【００４０】
薬液注入装置１００は、軸心方向が前後方向の状態で上方から装着される薬液シリンジ２００のシリンダ部材２１０をＵ状に湾曲した凹面１２１で保持するシリンダ保持機構１２０と、薬液シリンジ２００の保持されたシリンダ部材２１０に対してピストン部材２２０を前後方向に相対移動させるピストン駆動機構１１４と、を有する。【００４１】
ただし、本実施の形態の薬液注入装置１００は、図１に示すように、上方から視認されたときに左右方向の中央付近でＸ状に交差するとともに外縁近傍でＶ状に交差する複数の線分１３２Ｂ，１３２Ｙからなる図柄１３１が凹面１２１に表記されている。【００４２】
より詳細には、本実施の形態の透視撮像システム１０００は、図４に示すように、透視撮像装置であるＭＲＩ装置３００も有する。このＭＲＩ装置３００は、撮像実行機構である透視撮像ユニット３０１と撮像制御ユニット３０２とを有する。【００４３】
その透視撮像ユニット３０１と撮像制御ユニット３０２とは通信ネットワーク(図示せず)で有線接続されている。透視撮像ユニット３０１は被験者から透視画像を撮像する。撮像制御ユニット３０２は透視撮像ユニット３０１を動作制御する。【００４４】
薬液シリンジ２００は、図１および図２に示すように、シリンダ部材２１０とピストン部材２２０とを有する。シリンダ部材２１０は、円筒形のシリンダ本体２１１を有する。【００４５】
このシリンダ本体２１１の閉塞した前端面に導管部分２１２が形成されている。シリンダ部材２１０のシリンダ本体２１１の後端面は開口されている。シリンダ部材２１０は、ガラスや樹脂などで透明に形成されており、造影剤などの透明な薬液Ｌが収容される。【００４６】
ピストン部材２２０は、前後方向に細長いロッド状に形成されている。ピストン部材２２０は、シリンダ本体２１１の後面開口から内部にスライド自在に挿入されている。シリンダ部材２１０の後端外周にはシリンダフランジ２１３が形成されており、ピストン部材２２０の後端外周にはピストンフランジ２２１が形成されている。【００４７】
図５および図６に示すように、薬液シリンジ２００のシリンダフランジ２１３には、外周部に一対の平坦部２１４が相対する平行な二辺状に形成されており、これらの平坦部２１４と直交する二つの位置に凹溝部２１５が形成されている。【００４８】
本実施の形態の薬液シリンジ２００では、シリンダ部材２１０に上面と下面とが規定されており、その上面と下面とに対応した位置にシリンダフランジ２１３の一対の平坦部２１４が形成されている。【００４９】
本実施の形態の薬液注入装置１００は、図３に示すように、注入制御ユニット１０１と注入実行ヘッド１１０とが別体に形成されている。その注入制御ユニット１０１と注入実行ヘッド１１０とは通信ケーブル１０２で有線接続されている。【００５０】
注入実行ヘッド１１０は、装着される薬液シリンジ２００を駆動して被験者に薬液Ｌを注入する。注入制御ユニット１０１は、注入実行ヘッド１１０を動作制御する。このため、注入制御ユニット１０１はマイクロコンピュータ(図示せず)が内蔵されており、ＭＲＩ装置３００の撮像制御ユニット３０２とも有線接続されている。【００５１】
注入制御ユニット１０１は、操作パネル１０３、ディスプレイパネルであるタッチパネル１０４、スピーカユニット１０５、等が本体ハウジング１０６の前面に配置されており、別体のコントローラユニット１０７が接続コネクタ１０８で有線接続されている。【００５２】
注入実行ヘッド１１０は、キャスタスタンド１１１の上端に可動アーム１１２で可動自在に支持されている。図１および図２に示すように、ヘッド本体１１３の前部上面には、薬液シリンジ２００のシリンダ部材２１０の外形に対応してＵ状に湾曲した凹面１２１が形成されている。【００５３】
この凹面１２１の後方には、薬液シリンジ２００のシリンダフランジ２１３を着脱自在に保持する開閉自在なフランジ保持機構１２２が形成されている。このヘッド本体１１３の凹面１２１とフランジ保持機構１２２により、薬液シリンジ２００のシリンダ部材２１０を着脱自在に保持するシリンダ保持機構１２０が形成されている。【００５４】
一方、注入実行ヘッド１１０のフランジ保持機構１２２は、図６に示すように、Ｕ型の弾発アーム１２３を有する。この弾発アーム１２３は、図６(ａ)に示すように、平坦部２１４が左右に位置する状態のシリンダフランジ２１３は上下に自在に移動でき、図６(ｃ)に示すように、シリンダフランジ２１３の凹溝部２１５を左右から弾発的に保持する形状に形成されている。【００５５】
なお、注入実行ヘッド１１０の凹面１２１の後方には、駆動モータやネジ機構などからなるピストン駆動機構１１４が配置されている。このピストン駆動機構１１４は、ピストンフランジ２２１を保持して前後方向にスライド移動させる。【００５６】
ピストン駆動機構１１４は、駆動モータとして磁界を発生しない超音波モータ(図示せず)を有し、この超音波モータが、燐青銅合金(Cu+Sn+P)、チタン合金(Ti-6Al-4V)、マグネシウム合金(Mg+Al+Zn)、などの非磁性体で形成されている。【００５７】
そして、本実施の形態の薬液注入装置１００では、前述のようにシリンダ保持機構１２０の凹面１２１に粘着シール１３０が貼着されることにより、この粘着シール１３０に表記されている図柄１３１が凹面１２１に表記されている。【００５８】
この粘着シール１３０に表記されている図柄１３１は、図７に示すように、平坦に展開された状態で正弦波状となる複数の線分１３２Ｂ，１３２Ｙからなる。この粘着シール１３０が薬液注入装置１００の凹面１２１に貼付された状態では、図２および図８(ａ)に示すように、粘着シール１３０の左右両側は上方に略立設した状態となる。【００５９】
このため、図１に示すように、薬液注入装置１００の凹面１２１に貼付された粘着シール１３０の図柄１３１が上方から視認されると、線分１３２Ｂ，１３２Ｙの左右方向の外縁近傍のＸ状の交差の内側部分がＶ状の交差となる。【００６０】
なお、本実施の形態では、図柄１３１の線分１３２Ｂ，１３２Ｙは、発色が相違する複数種類として、目視による特性が相違する複数種類からなり、かつ、線幅が相違する複数種類からなる。【００６１】
より具体的には、本実施の形態の図柄１３１は、黄色を主要成分とした発色の幅狭の線分１３２Ｙと、青色を主要成分とした発色の幅広の線分１３２Ｂと、で形成されている。【００６２】
このため、図柄１３１の線分１３２Ｂ，１３２Ｙは、補色の関係にある。かつ、明色と暗色との二種類からなる。かつ、暖色と寒色との二種類からなる。かつ、膨張色と収縮色との二種類からなる。かつ、前進色と後退色との二種類からなる。【００６３】
上述のような構成において、本実施の形態の透視撮像システム１０００を使用する場合、例えば、作業者はＭＲＩ装置３００の透視撮像ユニット３０１に位置する被験者の血管に延長チューブ(図示せず)で薬液シリンジ２００を連結し、その薬液シリンジ２００を薬液注入装置１００の注入実行ヘッド１１０に装填する。【００６４】
その場合、図２に示すように、注入実行ヘッド１１０の開閉自在なフランジ保持機構１２２を開放させ、そこにシリンダフランジ２１３が挿入されるようにシリンダ部材２１０を凹面１２１に上方から挿入する。【００６５】
このとき、図６(ａ)に示すように、平坦部２１４が左右に位置する状態で、シリンダフランジ２１３がシリンダ保持機構１２０に上方から挿入される。つぎに、図６(ｂ)に示すように、シリンダ本体２１１が凹面１２１に当接した状態で、その下面となる位置が下方となるまでシリンダ部材２１０が回動される。【００６６】
すると、図６(ｃ)に示すように、そのシリンダフランジ２１３の左右両端の凹溝部２１５に弾発アーム１２３が弾発的に係合する。そして、図５(ｂ)に示すように、フランジ保持機構１２２を閉止させると、フランジ保持機構１２２と弾発アーム１２３とで薬液シリンジ２００が適正な状態に保持される。【００６７】
なお、ここでは薬液シリンジ２００を回動させてからフランジ保持機構１２２を閉止させることを例示したが、フランジ保持機構１２２を閉止させてから薬液シリンジ２００を回動させてもよい。【００６８】
上述のような状態で、作業者は薬液注入装置１００の注入制御ユニット１０１を手動操作する。すると、その操作内容に対応して、薬液注入装置１００のピストン駆動機構１１４が作動する。【００６９】
そこで、このピストン駆動機構１１４により薬液シリンジ２００のピストン部材２２０がシリンダ部材２１０に圧入され、シリンダ部材２１０から被験者に造影剤などの薬液Ｌが注入される。そして、この薬液Ｌが注入される被験者からＭＲＩ装置３００により透視画像が撮像される。【００７０】
本実施の形態の薬液注入装置１００は、上述のように薬液Ｌが充填されている薬液シリンジ２００のシリンダ部材２１０にピストン部材２２０を圧入することにより、被験者に薬液Ｌを注入する。【００７１】
ただし、もしも一度使用されるなどして薬液Ｌではなく空気Ａが充填されている薬液シリンジ２００が使用されると、被験者の血管に空気Ａが注入される医療ミスが発生することになる。【００７２】
特に、上述のように薬液Ｌを被験者に注入するときには、作業者は注入制御ユニット１０１を手動操作するので、薬液シリンジ２００が装填されている注入実行ヘッド１１０から離間している。【００７３】
しかし、本実施の形態の透視撮像システム１０００では、注入実行ヘッド１１０の凹面１２１に図柄１３１が表記されている。そして、薬液シリンジ２００に薬液ではなく空気が充填されていると、その薬液シリンジ２００により図柄１３１が光学的に屈折されない。【００７４】
このため、図１(ａ)に示すように、左右中央でＸ状に交差して左右外縁でＶ状に交差する複数の線分１３２Ｂ，１３２Ｙが図柄１３１として視認される。この状態では、図柄１３１の領域全体に線分１３２Ｂ，１３２Ｙが前後左右に均等に位置するため、図柄１３１が網目模様として視認される。【００７５】
一方、薬液シリンジ２００に薬液が充填されていると、薬液シリンジ２００に薬液が充填されていると、その薬液シリンジ２００により図柄１３１が光学的に屈折される。その場合、薬液が充填されている薬液シリンジ２００はシリンドリカルレンズとして機能し、図柄１３１の左右方向での中央部分が左右方向に拡開された状態で視認される。【００７６】
このため、図１(ｂ)に示すように、前後方向に離間した平行な複数の線分状に図柄１３１が視認される。この状態では、図柄１３１の領域に線分１３２Ｂ，１３２Ｙが集中する部分と集中しない部分とが前後方向に交互に発生するため、図柄１３１が疑似的な縞模様として視認される。【００７７】
本実施の形態の透視撮像システム１０００では、上述のように薬液注入装置１００に薬液シリンジ２００が装填された状態では、その薬液シリンジ２００に薬液Ｌが充填されているときと空気Ａが充填されているときで視認される図柄１３１が大幅に相違する。【００７８】
このため、例えば、空気が充填されている薬液シリンジ２００が薬液注入装置１００で駆動されて被験者に空気が注入される医療ミスを簡単かつ確実に防止することができる。【００７９】
さらに、図柄１３１は、図７に示すように、平坦に展開された状態で正弦波状となる複数の線分１３２Ｂ，１３２Ｙからなり、図８(ａ)に示すように、線分１３２Ｂ，１３２Ｙの左右方向の外縁近傍のＶ状の交差がＸ状の交差の内側部分からなる。【００８０】
このため、薬液Ｌが充填されて薬液注入装置１００に装填された薬液シリンジ２００が斜め方向から視認されると、図柄１３１の線分１３２Ｂ，１３２Ｙがシリンダ部材２１０の周面に螺旋状に表記されているように視認される。【００８１】
このため、薬液注入装置１００に装填された薬液シリンジ２００が上方以外の方向から視認された場合でも、その薬液シリンジ２００に薬液Ｌが充填されているか空気Ａが充填されているかを簡単かつ確実に確認することができる。【００８２】
しかも、本実施の形態の図柄１３１は、黄色を主要成分とした発色の線分１３２Ｙと、青色を主要成分とした発色の線分１３２Ｂと、からなる。従って、１３２Ｂ，１３２Ｙは、明色と暗色との二種類からなり、暖色と寒色との二種類からなり、膨張色と収縮色との二種類からなり、前進色と後退色との二種類からなり、補色の関係にある二種類からなる。【００８３】
つまり、図柄１３１の線分１３２Ｂ，１３２Ｙは、目視による特性が相反する。このため、例えば、薬液Ｌやシリンダ部材２１０や照明などの色味との関係のため、線分１３２Ｂ，１３２Ｙの一方の視認性が低下する場合でも他方の視認性が向上する。【００８４】
従って、薬液Ｌやシリンダ部材２１０や照明などが特有の色味を発生する場合などでも、薬液シリンジ２００に薬液Ｌが充填されているか空気Ａが充填されているかを良好に確認することができる。【００８５】
しかも、本実施の形態の図柄１３１では、黄色の線分１３２Ｙは幅狭であり、青色の線分１３２Ｂは幅広である。このため、一般的に青色の線分１３２Ｂの目視による視認性は黄色の線分１３２Ｙより低いが、これらの線分１３２Ｂ，１３２Ｙの視認性を同等とすることができる。従って、薬液シリンジ２００に薬液Ｌが充填されているか空気Ａが充填されているかを二種類の線分１３２Ｂ，１３２Ｙの両方で良好に確認することができる。【００８６】
さらに、本実施の形態の透視撮像システム１０００では、図柄１３１が粘着シール１３０に表記されており、この粘着シール１３０が薬液注入装置１００の凹面１２１に貼着されている。【００８７】
このため、印刷による線分１３２Ｂ，１３２Ｙの形成が困難な湾曲した凹面１２１に、図柄１３１を簡単に形成することができる。さらに、既存の薬液注入装置１００に粘着シール１３０を貼着するだけで、簡単に凹面１２１に図柄１３１を形成することができる。【００８８】
従って、既にエンドユーザに出荷して使用されている薬液注入装置１００に、アフターサービスとして粘着シール１３０を有償や無償で配布し、その凹面１２１に図柄１３１を形成することもできる。【００８９】
本発明は本実施の形態に限定されるものではなく、その要旨を逸脱しない範囲で各種の変形を許容する。例えば、本実施の形態では薬液シリンジ２００にＭＲ用の造影剤が薬液Ｌとして充填されており、薬液注入装置１００がＭＲＩ装置３００の近傍で使用されることを想定した。【００９０】
しかし、薬液シリンジ２００にＣＴ用や超音波診断用の造影剤などが薬液Ｌとして充填されており、薬液注入装置１００が透視撮像装置であるＣＴスキャナや超音波診断装置の近傍で使用されてもよい(図示せず)。【００９１】
また、上記形態では図柄１３１が表記されている粘着シール１３０が薬液注入装置１００に貼着されていることを例示した。しかし、薬液注入装置１００の凹面１２１に図柄１３１を印刷などで直接形成してもよい。【００９２】
さらに、上記形態では説明を簡単とするため、薬液注入装置１００の一種類の薬液シリンジ２００が装填されることを例示したが、実際には薬液注入装置１００に複数種類の薬液シリンジ２００が装填されることが一般的である。【００９３】
また、薬液Ｌとして造影剤と生理食塩水とが各々充填されている二種類の薬液シリンジ２００が同時に並列に装着される薬液注入装置も一般的である。そこで、このようなシリンジ駆動システム１２００を図９を参照して以下に簡単に説明する。【００９４】
このシリンジ駆動システム１２００では、薬液注入装置４００に、シリンダ保持機構１２０およびピストン駆動機構１１４が平行な二列として形成されている。また、薬液シリンジ２００として複数サイズがあり、薬液注入装置４００には最大サイズの薬液シリンジ２００のみが直接に装填される。【００９５】
このため、最大以外のサイズの薬液シリンジ２００ごとにシリンダアダプタ４１０が用意されている。そして、薬液注入装置４００は、上述のようにシリンダ保持機構１２０により最大サイズの薬液シリンジ２００を直接に保持するが、最大以外のサイズの薬液シリンジ２００はシリンダアダプタ４１０を介して保持する。【００９６】
なお、シリンダアダプタ４１０も、薬液注入装置１００と同様なシリンダ保持機構(図示せず)が形成されており、そのＵ状に湾曲した凹面４１１で薬液シリンジ２００のシリンダ部材２１０を保持する。【００９７】
そこで、ここで例示するシリンジ駆動システム１２００では、シリンダアダプタ４１０の凹面４１１に図柄１３１が表記されている。このため、薬液注入装置４００に最大以外のサイズの薬液シリンジ２００がシリンダアダプタ４１０を介して装填されても、その薬液シリンジ２００に薬液Ｌが充填されているか空気Ａが充填されているかをシリンダアダプタ４１０の図柄１３１で良好に確認することができる。【００９８】
なお、この図柄１３１は、シリンダアダプタ４１０が充分に透明ならば、その内面に形成しても外面に形成しても内部に形成してもよい。ただし、シリンダアダプタ４１０が半透明や不透明の場合には、当然ながら内面に図柄１３１を形成することがよい。また、上述のような薬液注入装置４００でも、最大サイズの薬液シリンジ２００は直接に装填されるので、その凹面１２１に図柄１３１が表記されていることがよい。【００９９】
さらに、図１０に示すように、薬液シリンジ２００を円筒状の透明なシリンジカバー５１０に挿入して薬液注入装置５００に装填するシリンジ駆動システム１３００もある。そこで、このようなシリンジ駆動システム１３００では、シリンジカバー５１０の下面に図柄１３１が形成されていることがよい。【０１００】
なお、上述のようにシリンダアダプタ４１０の凹面４１１やシリンジカバー５１０の下面に図柄１３１を形成する手法としては、シリンダアダプタ４１０やシリンジカバー５１０が充分に透明ならば、その内面ではなく外面や内部に図柄１３１を形成してもよい。換言すると、シリンダアダプタ４１０やシリンジカバー５１０が半透明や不透明の場合には、その内面に図柄１３１を形成することがよい。【０１０１】
なお、現在の一般的な薬液シリンジ２００は、前述のように上面と下面とが規定されており、その上面と下面とに対応してシリンダフランジ２１３に一対の平坦部２１４が形成されている。【０１０２】
このため、図５(ａ)に示すように、薬液シリンジ２００が、その上下が左右に位置する状態で薬液注入装置１００に装填されると、フランジ保持機構１２２により保持されるシリンダフランジ２１３の面積が不足する。【０１０３】
この場合、ピストン部材２２０が圧入される圧力により、シリンダフランジ２１３が破壊されてシリンダ部材２１０が破裂することがある。そこで、これが問題となる場合には、図９に示すように、薬液シリンジ４２０の下面に図柄１３１を表記しておくことがよい。【０１０４】
この場合、薬液シリンジ２００に薬液Ｌが充填されており、かつ、薬液注入装置１００に薬液シリンジ４２０が適正な方向で装填された場合のみ、図１(ｂ)に示すように、図柄１３１が疑似的な縞模様として視認される。【０１０５】
つまり、薬液シリンジ４２０に薬液Ｌが充填されていることと、薬液注入装置１００に薬液シリンジ４２０が適正な方向で装填されていることとの、両方を一目で簡単かつ確実に確認することができる。【０１０６】
また、上記形態では薬液シリンジ２００のシリンダ部材２１０が全周方向に良好に透光性を有することを想定した。しかし、図１１(ａ)に示すように、薬液シリンジ２００のシリンダ部材２１０の外周面の左右に不透明部２３０を形成してもよい。【０１０７】
同様に、図１１(ｂ)に示すように、薬液シリンジ２００のシリンダ部材２１０の外周面の全体を不透明部２３１とし、その上下のみに透光性の窓部２３２を形成してもよい。【０１０８】
この場合、図５(ａ)に示すように、薬液シリンジ２００が不適な方向で薬液注入装置１００に装填されると、薬液注入装置１００の凹面１２１の図柄１３１が薬液シリンジ２００の不透明部２３０，２３１で遮蔽される。【０１０９】
一方、薬液シリンジ２００が適正な方向で薬液注入装置１００に装填されると、薬液注入装置１００の図柄１３１が薬液シリンジ２００を介して視認される。このため、薬液シリンジ２００に薬液Ｌが充填されていることと、薬液注入装置１００に薬液シリンジ２００が適正な方向で装填されていることとの、両方を一目で簡単かつ確実に確認することができる。【０１１０】
なお、上述のように薬液シリンジ４２０やシリンダアダプタ４１０やシリンジカバー５１０に粘着シール１３０を貼付する場合、その粘着シール１３０にＲＦＩＤチップを搭載してもよい(図示せず)。【０１１１】
この場合、ＲＦＩＤチップに薬液Ｌなどの各種データを登録しておくことができる。しかも、薬液シリンジ４２０などに図柄１３１の粘着シール１３０を貼付することでＲＦＩＤチップも搭載されるので、薬液シリンジ４２０などにＲＦＩＤチップを簡単に搭載することができる。【０１１２】
なお、上述のように薬液シリンジ４２０などにＲＦＩＤチップを搭載した場合、そのＲＦＩＤチップから各種データを読み出すＲＦＩＤリーダを薬液注入装置に搭載しておくことがよい。【０１１３】
上述のように薬液シリンジなどにＲＦＩＤチップを搭載するとともに薬液注入装置にＲＦＩＤリーダを搭載したシリンジ駆動システムを、本出願人は、特願２００４−０５９０３４号、特願２００４−２０７３４５号、特願２００４−３２７４７９号、特願２００４−３３４９４２号、特願２００４−３４５４９３号、特願２００５−１１３０６５号、等として出願している。【０１１４】
また、上記形態では薬液シリンジ２００のシリンダ部材２１０にピストン部材２２０を圧入する薬液注入装置１００をシリンジ駆動装置として例示した。しかし、このようなシリンジ駆動装置として、薬液容器に連結された薬液シリンジ２００のシリンダ部材２１０からピストン部材２２０を後退させ、薬液容器から薬液シリンジ２００に薬液Ｌを吸入させる薬液吸入装置(図示せず)も実施可能である。【０１１５】
さらに、上記形態では薬液注入装置１００に装填された薬液シリンジ２００が上方から視認されることを例示した。しかし、透明な薬液を収容する透明な円筒形の薬液容器を保持する容器支持装置において、軸心方向が上下方向となる状態で薬液容器を保持するＵ状に湾曲した凹面１２１が形成されており、その凹面１２１に図柄１３１が表記されていてもよい(図示せず)。【０１１６】
この場合、容器受信装置の凹面１２１で後方から保持されている薬液容器が前方から視認されたとき、その薬液容器に薬液Ｌが充填されているか空気Ａが充填されているかが確認される。【０１１７】
また、上述のような薬液容器に前後方向が規定されているとき、その後面に図柄１３１が表記されていてもよい(図示せず)。この場合も、薬液容器が前方から視認されたとき、薬液Ｌが充填されているか空気Ａが充填されているかが確認される。【０１１８】
さらに、上記形態では図柄１３１が所定の発色の線分１３２で表記されていることを例示した。しかし、例えば、所定の温度で所定の発色となる塗料で図柄１３１を形成しておいてもよい。【０１１９】
一般的に被験者に多量に注入する造影剤などの薬液Ｌは、事前に体温と同等な温度に加温しておくことが要求されている。そこで、例えば、薬液Ｌが適切な温度のときのみ有色となり、適切な温度でないときは無色となる塗料で、図柄１３１を形成しておけば、図柄１３１の発色により薬液Ｌの温度が適切かも確認することができる。【０１２０】
また、上記形態では図柄１３１の線分１３２が正弦波状に形成されていることを例示した。しかし、線分が双曲線状に形成されていてもよく、放物線の組み合わせで形成されていてもよく、任意の自由曲線で形成されていてもよい。【０１２１】
さらに、上記形態では図柄１３１が連続的で円滑な線分１３２で形成されていることを例示した。しかし、図柄が、いわゆる点線や波線などで形成されていてもよい。なお、当然のことながら、上述した各種の変形例は内容が相反しない範囲で各種の組み合わせが可能である。
【図１】
2007141904.tif 000003
【図２】
2007141904.tif 000004
【図３】
2007141904.tif 000005
【図４】
2007141904.tif 000006
【図５】
2007141904.tif 000007
【図６】
2007141904.tif 000008
【図７】
2007141904.tif 000009
【図８】
2007141904.tif 000010
【図９】
2007141904.tif 000011
【図１０】
2007141904.tif 000012
【図１１】
2007141904.tif 000013
【国際調査報告】
2007141904.tif 000014
2007141904.tif 000015